(57)【要約】【課題】日本髪かつらを被着したときのフィット感を向上させ、且つ被着後にずれが生じないようにする。【解決手段】  前枠１と、その前枠１の両側部から後方へ延設した一対の延設部２と、その一対の延設部２に両端部が回動可能に取り付けられた後枠３と、前枠１の最上部に前端部４ａが固着されて後方に湾曲して延びる帯片状の上枠（渡り金）４と、その上枠４の後端部４ｂと一対の延設部２の後端部２ｂとを連結する後部連結部材５とを備えている。その前枠１及び一対の延設部２と後枠３と上枠４は、いずれもアルミニウム等の軽金属板によって形成されており、後部連結部材５は伸縮性を有する部材で形成されている。【選択図】        図１
2008144286.tif 000002
【特許請求の範囲】
【請求項１】
前枠と、該前枠の両側部から後方へ延設した一対の延設部と、該一対の延設部に両端部が回動可能に取り付けられた後枠と、前記前枠の最上部に一端が固着されて後方に湾曲して延びる帯片状の上枠と、該上枠の後端部と前記一対の延設部とを連結する後部連結部材とを備えた日本髪かつら用基枠において、
前記前枠及び一対の延設部と前記後枠と前記上枠は、いずれも軽金属板によって形成され、前記後部連結部材は伸縮性を有する部材で形成されていることを特徴とする日本髪かつら用基枠。
【請求項２】
前記後部連結部材が、ゴム、軟質樹脂、ネット状に編まれた繊維のいずれか、あるいは前記ゴム又は軟質樹脂と前記ネット状に編まれた繊維との組み合わせからなる伸縮性を有する部材によって形成されていることを特徴とする請求項１に記載の日本髪かつら用基枠。
【請求項３】
前記後部連結部材がバンド状に形成されていることを特徴とする請求項１又は２に記載の日本髪かつら用基枠。
【請求項４】
前記後部連結部材の少なくとも前記上枠の後端部及び前記一対の延設部に取り付ける部分は二重にして、前記上枠の後端部及び前記一対の延設部の各取り付け部分をそれぞれ表裏両面側から挟んでそこに固着されていることを特徴とする請求項３に記載の日本髪かつら用基枠。
【請求項５】
請求項１から４のいずれか一項に記載の日本髪かつら用基枠において、前記帯片状の上枠の裏面にゴム、軟質樹脂、又はネットによる滑り止め層が形成されていることを特徴とする日本髪かつら用基枠。
【請求項６】
請求項５に記載の日本髪かつら用基枠において、前記前枠及び前記延設部の一方又は両方の裏面にも、ゴム、軟質樹脂、又はネットによる滑り止め層が形成されていることを特徴とする日本髪かつら用基枠。
【請求項７】
請求項１から６のいずれか一項に記載の日本髪かつら用基枠に、前髪、鬢、髱、および髷を取り付けてなる日本髪かつら。
【発明の詳細な説明】
【技術分野】
【０００１】
この発明は、台金、台枠、あるいはかつら枠とも称される日本髪かつら用基枠、およびその基枠を使用した日本髪かつらに関する。
【背景技術】
【０００２】
従来、結婚式において花嫁が頭部に被着する高島田等の日本髪かつらは、頭部に沿う形状に形成した日本髪かつら用基枠（台金、台枠、又はかつら枠とも称す）に、前髪（まえがみ）、左右の鬢（びん）、後部上方の髷（まげ）、その下から襟首近くまで垂れ下がる髱（たぼ）等を取り付けることにより構成されている。
【０００３】
このような日本髪かつらの髪の各部を支える重要な部材である基枠は、例えば特許文献１に記載されているように、前枠の両側部から後方へ延設した一対の延設部に、後枠（たぼ金とも称す）の両端部を回動可能に取り付け、前枠の最上部に帯片状の上枠（渡り金とも称す）の一端を固着して後方に湾曲して延設し、その上枠の後端部と一対の延設部の後端部とをワイヤ又は帯板（輪金とも称す）で連結して構成されている。これらはすべて、アルミニウム等の軽金属で形成されている。
【特許文献１】特公平７−９１６８１号公報
【０００４】
また、日本髪かつらを花嫁の頭に被着させる際に、無理なく容易に被着させられるように、髱（たぼ）を支える後枠が、前髪等を支える前枠に対して、後上方に回動すると共に下方へスライドするように取り付けられ、手を離すと元の状態に戻るようにスプリングによって付勢されている。
さらに、このような基枠を使用した日本髪かつらをサイズを変えて何種類も用意しておき、被着者の頭の大きさや形状に合わせて最適なサイズのものを使用できるようにしている。
【発明の開示】
【発明が解決しようとする課題】
【０００５】
しかしながら、このような従来の日本髪かつらは、上述したように被着者の頭髪に直接触れる基枠が全てアルミニウム等の軽金属製であり、前枠とその一対の延設部、上枠およびその後端部と一対の延設部の後端部とを連結するワイヤ又は帯板（輪金）は一体的に固定されているので、被着者の頭部へのフィット感が常に満足できる状態とはならないという問題があった。また、花嫁が日本髪かつらを被着して婚礼や披露宴を行っている間に、その日本髪かつらが初めの最適な被着状態からずれることがあるという問題もあった。
【０００６】
前述の特許文献１に記載されている日本髪かつら用基枠では、前枠の延設部である両側頭部と上枠の後端部との間にワイヤを後方側に湾曲させて掛け渡し、そのワイヤに、木綿や樹脂等による糸状部材を網込んで形成したネットを取り付けて、それを両側頭部の間に掛け渡し、かつらを被った際にそのネットの内側の部分が着用者の後頭部に接するようにして、被着感触を向上させ、ずれも防止するようにしているが、まだ不十分であった。
【０００７】
この発明は、上記のような問題を解決するためになされたものであり、日本髪かつらを被着したときのフィット感を向上させること、および被着後にずれが生じないようにすることを目的とする。それによって、結婚式において花嫁が日本髪かつらを着用したくなるようにすることも目的とする。
【課題を解決するための手段】
【０００８】
この発明は上記の目的を達成するため、前枠と、その前枠の両側部から後方へ延設した一対の延設部と、その一対の延設部に両端部が回動可能に取り付けられた後枠と、前枠の最上部に一端が固着されて後方に湾曲して延びる帯片状の上枠と、その上枠の後端部と上記一対の延設部とを連結する後部連結部材とを備えた日本髪かつら用基枠において、上記前枠及び一対の延設部と後枠と上枠はいずれも軽金属板によって形成し、上記後部連結部材は伸縮性を有する部材で形成したことを特徴とする日本髪かつら用基枠を提供する。
【０００９】
上記後部連結部材は、ゴム、軟質樹脂、ネット状に編まれた繊維のいずれか、あるいは上記ゴム又は軟質樹脂と上記ネット状に編まれた繊維との組み合わせからなる伸縮性を有する部材によって形成するとよい。
また、その後部連結部材をバンド状に形成することができる。
その場合、少なくとも上記上枠の後端部及び一対の延設部に取り付ける部分は二重にして、その上枠の後端部及び一対の延設部の各取り付け部分をそれぞれ表裏両面側から挟んでそこに固着させるようにするとよい。
【００１０】
これらの日本髪かつら用基枠において、上記帯片状の上枠の裏面にゴム、軟質樹脂、又はネット（網）等による滑り止め層を形成するとよい。
さらに、上記前枠及び延設部の一方又は両方の裏面にも、ゴム、軟質樹脂、又はネット（網）等による滑り止め層を形成してもよい。
また、これらの日本髪かつら用基枠に、前髪、鬢、髱、および髷を取り付けてなる日本髪かつらも提供する。
【発明の効果】
【００１１】
この発明による日本髪かつら用基枠、およびそれを使用した日本髪かつらによれば、上枠の後端部と前枠の一対の延設部とを連結する後部連結部材が伸縮性を有する部材で形成されているので、花嫁等の被着者が日本髪かつらを被着するとき、下地処理をした頭髪の大きさや形状に応じて後部連結部材が多少伸縮して基枠の各部がピッタリとフィットし、その収縮力によって頭髪を軽く押さえ付けるとともに、摩擦力も大きいので、被着後にずれることがない。
【００１２】
帯片状の上枠の裏面にゴム、軟質樹脂、又はネット等の柔軟性があり摩擦係数の大きい材料による滑り止め層を形成したり、さらに、前枠及び一対の延設部の一方又は両方の裏面にも同様な滑り止め層を形成すれば、日本髪かつらの被着時の感触が一層よくなるとともに、被着後のずれを防止する効果も一層高まる。
【発明を実施するための最良の形態】
【００１３】
以下、この発明を実施するための最良の形態を図面に基づいて説明する。
図１はこの発明による日本髪かつら用基枠の一実施形態を示す側面図、図２はその正面図である。
この日本髪かつら用基枠（基台）は、前枠１と、その前枠１の両側部から後方へ延設した一対の延設部２と、その一対の延設部２に両端部が回動可能に取り付けられた後枠３と、前枠１の最上部に前端部４ａが固着されて後方に湾曲して延びる帯片状の上枠（渡り金）４と、その上枠４の後端部４ｂと一対の延設部２とを連結する後部連結部材５とを備えている。
【００１４】
その前枠１及び一対の延設部２と後枠３と上枠４は、いずれもアルミニウム等の軽金属板によって形成されており、後部連結部材５は伸縮性を有する部材で形成されている。
前枠１には、上部に前額当て１ａが、両側下部にもみあげ当て１ｂが形成されており、その前枠１の全体の後縁に沿って補強用のワイヤＷを這わせており、前額当て１ａ上ともみあげ当て１ｂ上でそのワイヤＷを固定している。
【００１５】
また、一対の各延設部２の後枠３の両端部３ａに対応する位置に、支点部材である段付ピン６を固設し、その段付ピン６の小径部に、後枠３の両端部３ａを略直角に切り欠いて形成したピンスライド部３ｂを当接（係合）させている。
また、その段付きピン６から図１で下方に所定の距離だけ離間させて、後枠３の矢示Ａ方向への回動時における移動方向を規制するガイド部材である段付きピン７を各延設部２に固設し、その段付ピン７に対応させて後枠３の両端部３ａにガイド用長孔３ｃをピンスライド部３ｂの面に長孔方向が略直角になるように形成している。
【００１６】
そして、そのガイド用長孔３ｃ内に段付ピン７の小径部を移動自在に嵌入させ、後枠３を後上方（矢示Ａ方向）へ回動させた時に、その回動がガイド用長孔３ｃ内に嵌入している段付ピン７に規制されながら行われ、後枠３の回動支点が移動して、後枠３が下方に移動するようになっている。
さらに、前枠１の各延設部２と後枠３の両端部３ａとの間に、後枠３を図１で左旋方向及び上方へ付勢するコイルスプリング８をそれぞれ取付け、後枠３がフリー状態にあるときに、図１に示す回動位置（下端の首筋当接部３ｄが最も前枠２側に寄る位置）になるようにしている。
【００１７】
このように、後枠３が前枠１に対して回動及びスライド移動するようにした基枠を使用した日本髪かつらは、それを被着者の頭部に被せたり、外したりする際に、かつらの下側の開放された入口部分をより広げることができるので被せ易い。そして、その入口部分を広げるための動作は１つの回動動作だけでよいので、操作が非常に簡単である。そして、手を離すとコイルスプリング８の付勢力によって後枠３が自動的に被着者の後頭部に最もフィットした位置に戻る。
【００１８】
後部連結部材５は、例えばゴム、軟質樹脂、ネット状に編まれた繊維のいずれか、あるいはゴム又は軟質樹脂とネット状に編まれた繊維との組み合わせ等からなる伸縮性を有する部材によってバンド状に形成されている。
この実施形態では、その後部連結部材５の少なくとも上枠４の後端部４ｂ及び一対の延設部２の各後端部２ｂに取り付ける部分は二重（２枚重ね）にして、その上枠４の後端部４ｂ及び一対の延設部２の取り付け部分である各後端部２ｂををそれぞれ表裏両面側から挟んで、そこにそれぞれ止め具９によって固着されている。
【００１９】
また、この日本髪かつら用基枠においては、帯片状の上枠４の裏面に、細かい凹凸を形成したゴム又は軟質樹脂等の柔軟性があり摩擦係数の大きい材料による滑り止め層１０を形成している。この滑り止め層１０をネット（網）によって形成してもよい。
さらに、前枠１及び一対の延設部２の一方又は両方の裏面にも、ゴム、軟質樹脂、又はネット等の柔軟性があり摩擦係数の大きい材料による滑り止め層を形成してもよい。図２では延設部２の裏面にネットによる滑り止め層１１を形成した状態を示している。
但し、これらの滑り止め層はこの発明に必須のものではない。
【００２０】
次に、このように構成した日本髪かつら用基台を使用した日本髪かつらの一実施形態を図３によって説明する。図３はこの発明による日本髪かつらの一実施形態である高島田の日本髪かつらを女性の頭部に被着させた状態で示す側面図である。
この日本髪かつらは、図１及び図２に示した日本髪かつら用基枠の外側の前枠１の前額当て１ａ上である前方頂部（図３では左上部）に前髪１２を、左右のもみあげ当て１ｂに各鬢（びん）１３を、上枠４上の後方頂部に根１４ａ及び下部１４ｃを含む髷（まげ）１４を、後枠（たぼ金）３に髱（たぼ）１６をそれぞれ取り付けることによって形成している。
【００２１】
このように基枠に取り付ける日本髪の各構成部分である前髪１２、鬢１３、髷１４、および髱１６は、それぞれパーツとしてユニット化されており、容易に組み付けることができる。この点に関しては既に公知であるので詳細な説明は省略する。
花嫁用のかつらの場合は、このように完成した高島田のかつらの髷にはね元結を結び、その前に飾り櫛を差し、前髪１２に一対の前差しを、髷１４の根１４ａに中差しを、髱１６に一対の後指しを差すなどして、笄類や髪飾りなどで美しく飾る。
しかし、この発明による日本髪かつらは、高島田に限るものではなく、他の髪型の日本髪かつらにも適用できることは言うまでもない。
【００２２】
このように構成した日本髪かつら用基枠及びそれを使用して作製した日本髪かつらは、上枠４の後端部４ｂと前枠１の一対の延設部２とを連結する後部連結部材５が伸縮性を有する部材で形成されているので、花嫁等の被着者が日本髪かつらを被着するとき、下地処理をした頭髪の大きさや形状に応じて後部連結部材が多少伸縮して基枠の各部がピッタリとフィットし、その収縮力によって頭髪を軽く押さえ付けるとともに、摩擦力も大きいので、被着後にずれることがない。
【００２３】
その後部連結部材５を、ゴム、軟質樹脂、ネット状に編まれた繊維のいずれか、あるいはゴム又は軟質樹脂とネット状に編まれた繊維との組み合わせ等によってバンド状に形成すれば、適度の強度と柔軟性及び伸縮性を有し、安定性もあり、上枠４の後端部４ｂと前枠１の延設部２の後端部２ｂへの取り付けも容易である。特に、ゴム又は軟質樹脂とネット状に編まれた繊維との組み合わせによって後部連結部材５を作製すれば、充分な耐久性があり、長期間使用してもその強度と柔軟性及び伸縮性を変わりなく維持することができる。
【００２４】
また、この実施形態のように、そのバンド状の後部連結部材５の少なくとも上枠４の後端部４ｂ及び一対の延設部２の各後端部２ｂに取り付ける部分を二重にして、上枠４の後端部４ｂ及び一対の延設部２の各後端部２ｂをそれぞれ表裏両面側から挟んで、そこに止め具９等によって固着させるようにすると、後部連結部材５を広い面積でしっかりと確実に固着することができ、耐久性が向上するとともに、金属部品に端部を覆って、安全性と感触を向上させることもできる。
【００２５】
この後部連結部材５の上枠４の後端部４ｂ及び一対の延設部２の各後端部２ｂへの固着は、クリップ等の留め具によるものに限らず、接着剤による接着、リベット止め、糸による縫い止めなど、種々の手段を用いることができる。
なお、この後部連結部材５はバンド状に限るものではなく、その幅や形状を種々に変更することができ、三角形状やクロス状などにしてもよい。弾性を有する金属線によってネット状などに形成してもよい。
【００２６】
また、この実施形態の日本髪かつら用基枠においては、帯片状の上枠４の裏面に、細かい凹凸を形成したゴム又は軟質樹脂による滑り止め層１０を形成しているので、被着者への被着感触の向上とずれ防止効果を一層高めることができる。その滑り止め層１０をネットによって形成した場合も同様である。
さらに、前枠１及びその延設部２の一方又は両方の裏面にも、ゴム、軟質樹脂、又はネットによる滑り止め層を形成すれば、被着者への被着感触の向上とずれ防止効果をさらに高めることができる。
【産業上の利用可能性】
【００２７】
この発明による日本髪かつら用基枠、及びそれを使用した日本髪かつらは、結婚式場などで使用する花嫁用の日本髪かつらをはじめ、舞台演劇や映画、テレビドラマの時代劇などの出演者が被着する日本髪かつらなどにも利用可能である。
【図面の簡単な説明】
【００２８】
【図１】この発明による日本髪かつら用基枠の一実施形態を示す側面図である。
【図２】同じくその正面図である。
【図３】この発明による日本髪かつらを女性の頭部に被着させた状態で示す側面図である。
【符号の説明】
【００２９】
１：前枠    ２：延設部    ３：後枠    ４：上枠    ５：後部連結部材
６，７：段付ピン    ８：コイルスプリング    ９：止め具    １０，１１：滑り止め層
１２：前髪    １３：鬢    １４：髷    １６：髱
【図１】
2008144286.tif 000003
【図２】
2008144286.tif 000004
【図３】
2008144286.tif 000005